(57)【特許請求の範囲】
【請求項１】
通信インターフェースを備え、前記通信インターフェースを介して、電子機器における電池に対して充電を行うとともに、前記電子機器とデータ通信を行う電源アダプターであって、
前記電源アダプターは、電源回路と、主制御回路と、電位調整回路と、電流検出回路と、電圧検出回路と、出力スイッチ回路とを更に含み、
前記電位調整回路は、前記主制御回路から送信された制御信号に基づいて、隔離変圧器の出力電圧を調整するように設置され、
前記電流検出回路と前記電圧検出回路とは、それぞれ前記電源アダプターの出力電流と出力電圧とを検出し、それに応じて、電流検出信号と電圧検出信号とを前記主制御回路にフィードバックするように設置され、
前記出力スイッチ回路は、前記主制御回路から送信されたスイッチ制御信号に基づいて、前記電源アダプターの直流電流の出力をオンオフするように設置され、
前記電子機器における電池に対して通常の充電、或いは急速充電を行う時、前記主制御回路は、前記電流検出信号に基づいて、前記電源アダプターの出力電流が電流閾値より大きいか否かを判断し、前記電圧検出信号に基づいて、前記電源アダプターの出力電圧が電圧閾値より大きいか否かを判断して、若し前記出力電流が電流閾値より大きい、及び/又は前記出力電圧が電圧閾値より大きいと、前記主制御回路は、前記出力スイッチ回路を制御して、前記電源アダプターの直流電流の出力をオフし、
前記主制御回路と前記電子機器とがデータ通信を行う過程で、前記主制御回路が充電オフ命令を受信した場合、前記充電オフ命令に基づいて前記出力スイッチ回路を制御して、前記電源アダプターの直流電流の出力をオフし、前記充電オフ命令は、前記電子機器により、前記出力電流が電流閾値より大きい、及び／又は前記出力電圧が電圧閾値より大きいと判定された場合、フィードバックされるものである、
ことを特徴とする電源アダプター。
【請求項２】
前記主制御回路と前記電子機器との間でのデータ通信は、充電の過程で行われ、その過程において、前記通常の充電モードにあるか、前記急速充電モードにあるかを問わず、前記主制御回路は、前記電源アダプターの出力電流と出力電圧とを前記電子機器に送信する、ことを特徴とする請求項１に記載の電源アダプター。
【請求項３】
前記電源回路は、定電圧チップを含み、
前記定電圧チップは、当該定電圧チップを中心として前記隔離変圧器の二次ポート電圧に対して電圧変換処理を行うように配置され、前記電源回路は、＋３．３Ｖの電圧を出力して、前記主制御回路と、前記電位調整回路と、前記電流検出回路とに給電する、
ことを特徴とする請求項１又は２に記載の電源アダプター。
【請求項４】
前記電位調整回路は、デジタルポテンショメータを含み、
前記デジタルポテンショメータは、主制御チップから出力されるクロック信号とデータ信号とに基づいて、内部の滑り抵抗器を調整することによって、内部の滑り抵抗器のタッピングポートの電位が変化する、
ことを特徴とする請求項１〜３のいずれかに記載の電源アダプター。
【請求項５】
前記電流検出回路は、第２０抵抗器を含み、
前記第２０抵抗器は、出力フィルタ回路の出力電流に対するサンプリングを行ってから、電流検出チップを介して、前記第２０抵抗器両端の電圧に基づいて、前記電流検出信号を主制御チップに出力するように配置される、
ことを特徴とする請求項１〜４のいずれかに記載の電源アダプター。
【請求項６】
前記出力スイッチ回路は、第２ＮＭＯＳトランジスターと、第３ＮＭＯＳトランジスターとを含み、
前記第２ＮＭＯＳトランジスターと、前記第３ＮＭＯＳトランジスターとは、同時に導通或いは切断されることによって、前記電源アダプターの直流電流の出力をオンオフする、
ことを特徴とする請求項１〜５のいずれかに記載の電源アダプター。
【請求項７】
電源アダプターを備える電子機器であって、
前記電源アダプターは通信インターフェースを備え、前記通信インターフェースを介して、電子機器における電池に対して充電を行うとともに、前記電子機器とデータ通信を行い、
前記電源アダプターは、電源回路と、主制御回路と、電位調整回路と、電流検出回路と、電圧検出回路と、出力スイッチ回路とを更に含み、
前記電位調整回路は、前記主制御回路から送信された制御信号に基づいて、隔離変圧器の出力電圧を調整するように設置され、
前記電流検出回路と前記電圧検出回路とは、それぞれ前記電源アダプターの出力電流と出力電圧とを検出し、それに応じて、電流検出信号と電圧検出信号とを前記主制御回路にフィードバックするように設置され、
前記出力スイッチ回路は、前記主制御回路から送信されたスイッチ制御信号に基づいて、前記電源アダプターの直流電流の出力をオンオフするように設置され、
前記電子機器における電池に対して通常の充電、或いは急速充電を行う時、前記主制御回路は、前記電流検出信号に基づいて、前記電源アダプターの出力電流が電流閾値より大きいか否かを判断し、前記電圧検出信号に基づいて、前記電源アダプターの出力電圧が電圧閾値より大きいか否かを判断して、若し前記出力電流が電流閾値より大きい、及び／又は前記出力電圧が電圧閾値より大きいと、前記主制御回路は、前記出力スイッチ回路を制御して、前記電源アダプターの直流電流の出力をオフし、
前記主制御回路と前記電子機器とがデータ通信を行う過程で、前記主制御回路が充電オフ命令を受信した場合、前記充電オフ命令に基づいて前記出力スイッチ回路を制御して、前記電源アダプターの直流電流の出力をオフし、前記充電オフ命令は、前記電子機器により前記出力電流が電流閾値より大きい、及び／又は前記出力電圧が電圧閾値より大きいと判定した場合、フィードバックされるものである、
ことを特徴とする電子機器。
【請求項８】
前記主制御回路と前記電子機器との間でのデータ通信は、充電の過程で行われ、その過程において、前記通常の充電モードにあるか、前記急速充電モードにあるかを問わず、前記主制御回路は、前記電源アダプターの出力電流と出力電圧とを前記電子機器に送信する、ことを特徴とする請求項７に記載の電子機器。
【請求項９】
前記電源回路は、定電圧チップを含み、
前記定電圧チップは、当該定電圧チップを中心として前記隔離変圧器の二次ポート電圧に対して電圧変換処理を行うように配置され、前記電源回路は、＋３．３Ｖの電圧を出力して、前記主制御回路と、前記電位調整回路と、前記電流検出回路とに給電する、
ことを特徴とする請求項７又は８に記載の電子機器。
【請求項１０】
電子機器に適用する充電保護方法であって、電源アダプターにより前記電子機器に充電し、
前記電源アダプターは、電源回路と、主制御回路と、電位調整回路と、電流検出回路と、電圧検出回路と、出力スイッチ回路とを更に含み、
前記電流検出回路に給電し、前記電子機器における電池に対して急速充電を行う時、前記電位調整回路は、前記主制御回路から送信された制御信号に基づいて、隔離変圧器の出力電圧を調整し、前記電流検出回路と前記電圧検出回路とは、それぞれ前記電源アダプターの出力電流と出力電圧とを検出し、それに応じて、電流検出信号と電圧検出信号とを前記主制御回路にフィードバックし、前記出力スイッチ回路は、前記主制御回路から送信されたスイッチ制御信号に基づいて、前記電源アダプターの直流電流の出力をオンオフし、
前記電子機器における電池に対して通常の充電、或いは急速充電を行う時、前記主制御回路は、前記電流検出信号に基づいて、前記電源アダプターの出力電流が電流閾値より大きいか否かを判断し、前記電圧検出信号に基づいて、前記電源アダプターの出力電圧が電圧閾値より大きいか否かを判断して、若し前記出力電流が電流閾値より大きい、及び／又は前記出力電圧が電圧閾値より大きいと、前記主制御回路は、前記出力スイッチ回路を制御して、前記電源アダプターの直流電流の出力をオフし、
前記主制御回路と前記電子機器とがデータ通信を行う過程で、前記主制御回路が充電オフ命令を受信した場合、前記充電オフ命令に基づいて前記出力スイッチ回路を制御して、前記電源アダプターの直流電流の出力をオフし、前記充電オフ命令は、前記電子機器により前記出力電流が電流閾値より大きい、及び／又は前記出力電圧が電圧閾値より大きいと判定された場合、フィードバックされるものである、
ことを特徴とする充電保護方法。
【発明の詳細な説明】
【技術分野】
【０００１】
本発明は、充電技術に関し、特に電子機器及び電源アダプターに関する。
【背景技術】
【０００２】
現在、大多数の電子機器は、通信インターフェースを介して、電源アダプターから直流電流を取得することによって、電池に対して充電を行っている。電池の充電において、充電時間を短縮するために、従来技術では、電源アダプターにより出力電流を増大させることによって、電池に対する急速充電の目的を達している。しかし、通常の定電圧出力方式を利用して、或いは出力電流を増大させる方式を利用して電池に対して充電を行うとしても、電源アダプターが電池に対して充電を行う過程において、出力電圧及び/又は出力電流が大きすぎる場合、電池が過電圧、及び/又は過電流の充電によって損なわれる可能性がある。従って、従来技術は、電源アダプターを介して、電子機器における電池に対して通常の充電或いは急速充電を行う時、電池に対する過電圧、及び/又は過電流の保護を実現できない。
【発明の概要】
【発明が解決しようとする課題】
【０００３】
本発明の実施例は、電源アダプターを提供することであり、従来技術における、電源アダプターを介して電子機器における電池に対して通常の充電或いは急速充電を行う時、電池に対する過電圧、及び/又は過電流の保護を実現できない問題を解決することである。
【課題を解決するための手段】
【０００４】
本発明の実施例は以下のように実現される。電源アダプターであって、通信インターフェースを備え、前記電源アダプターは、前記通信インターフェースを介して、電子機器における電池に対して充電を行うとともに、前記電子機器とデータ通信を行い、前記電源アダプターは、ＥＭＩフィルタ回路と、高電圧整流フィルタ回路と、隔離変圧器と、出力フィルタ回路と、電圧トラッキングと制御回路とを含み、
前記電源アダプターは、電源回路と、主制御回路と、電位調整回路と、電流検出回路と、電圧検出回路と、出力スイッチ回路とを更に含み、
前記電源回路の入力ポートは、前記隔離変圧器の二次ポートに接続され、前記主制御回路の電源ポートと、前記電位調整回路の電源ポートと、前記電流検出回路の電源ポートとは、前記電源回路の出力ポートに共通に接続され、前記主制御回路の高電位ポートと前記電位調整回路の高電位ポートとは、いずれも前記出力フィルタ回路の正出力ポートに接続され、前記電位調整回路の電位調節ポートは、前記電圧トラッキングと制御回路に接続され、前記電流検出回路の直流入力ポートは、前記出力フィルタ回路の正出力ポートに接続され、前記電流検出回路の電流検出フィードバックポートは、前記主制御回路の電流検出ポートに接続され、前記主制御回路のクロック出力ポートとデータ出力ポートとは、前記電位調整回路のクロック入力ポートとデータ入力ポートとに接続され、前記電圧検出回路の第１検出ポートと第２検出ポートとは、それぞれ前記電流検出回路の直流出力ポートと、前記出力フィルタ回路の負出力ポートとに接続され、前記電圧検出回路の第１出力ポートと第２出力ポートとは、それぞれ前記主制御回路の第１電圧検出ポートと第２電圧検出ポートとに接続され、前記出力スイッチ回路の入力ポートは、前記電流検出回路の直流出力ポートに接続され、前記出力スイッチ回路の出力ポートと前記出力フィルタ回路の負出力ポートとは、前記通信インターフェースに接続され、且つ、前記出力スイッチ回路の出力ポートは前記電圧検出回路の第３検出ポートに接続され、前記出力スイッチ回路の接地ポートは、前記出力フィルタ回路の負出力ポートに接続され、前記出力スイッチ回路の被制御ポートと電源ポートとは、それぞれ前記主制御回路のスイッチ制御ポートと前記隔離変圧器の二次ポートとに接続され、前記出力フィルタ回路の負出力ポートと、前記出力スイッチ回路の出力ポートと、前記主制御回路の第１通信ポートと、第２通信ポートとは、いずれも前記通信インターフェースに接続され、
前記電源回路は、前記隔離変圧器から電源を取得し、前記主制御回路と、前記電位調整回路と、前記電流検出回路とに供電し、前記電位調整回路は、前記主制御回路から送信された制御信号に基づいて、前記電圧トラッキングと制御回路を駆動して、前記隔離変圧器の出力電圧を調整し、前記電流検出回路と前記電圧検出回路とは、それぞれ前記電源アダプターの出力電流と出力電圧とを検出し、それに応じて、電流検出信号と電圧検出信号とを前記主制御回路にフィードバックし、前記出力スイッチ回路は、前記主制御回路から送信されたスイッチ制御信号に基づいて、前記電源アダプターの直流電流の出力をオンオフし、
前記電子機器における電池に対して通常の充電或は急速充電を行う時、前記主制御回路は、前記電流検出信号に基づいて、前記電源アダプターの出力電流が電流閾値より大きいか否かを判断し、前記電圧検出信号に基づいて、前記電源アダプターの出力電圧が電圧閾値より大きいか否かを判断し、若し前記出力電流が電流閾値より大きい、及び/又は前記出力電圧が電圧閾値より大きいと、前記主制御回路は、前記出力スイッチ回路を制御して、前記電源アダプターの直流電流の出力をオフし、
前記主制御回路と前記電子機器とが、データ通信を行う過程において、若し前記電子機器により、前記出力電流が電流閾値より大きい、及び/又は前記出力電圧が電圧閾値より大きいと判定され、充電オフ命令を前記主制御回路にフィードバックすると、前記主制御回路は、前記充電オフ命令に基づいて、前記出力スイッチ回路を制御して、前記電源アダプターの直流電流の出力をオフする。
【０００５】
本発明の実施例は、電池を備え、且つ前述の電源アダプターが更に配置されている電子機器を提供することである。
〔発明の有益な効果〕
〔有益な効果〕
本発明における少なくとも一つの実施例は、電子機器に電源アダプターを提供して、この電源アダプターは、電源回路と、主制御回路と、電位調整回路と、電流検出回路と、電圧検出回路と、出力スイッチ回路とを含み、主制御回路により、電源アダプターの出力電流が電流閾値より大きいか否かを判断し、電源アダプターの出力電圧が電圧閾値より大きいか否かを判断し、若し上述の出力電流が電流閾値より大きい、及び/又は前記出力電圧が電圧閾値より大きいと、主制御回路は、出力スイッチ回路を制御して、電源アダプターの直流電流の出力をオフする。また、若し電子機器により、電源アダプターの出力に過電流、及び/又は過電圧の現象が存在すると判定され、充電オフ命令が主制御回路にフィードバックされると、主制御回路は、当該充電オフ命令に基づいて、出力スイッチ回路を制御し、電源アダプターの直流電流の出力をオフすることによって、電池に対する過電流及び/又は過電圧の保護を実現する目的を達する。
【図面の簡単な説明】
【０００６】
【図１】本発明の実施例が提供する電源アダプターの回路構成図である。
【図２】本発明の実施例が提供する電源アダプターの例示的な回路構成図である。
【発明を実施するための形態】
【０００７】
本発明の目的、技術案、及び利点をより明らかにするために、以下に図面及び実施例を結合することによって、本発明をより詳細に説明する。ここで説明される具体的な実施例は、ただ本発明を説明するものであり、本発明を限定するものではないことを理解されたい。
【０００８】
図１は、本発明の実施例が提供する電源アダプターの回路構成を示す。説明を便利にするため、本発明の実施例と関連する部分だけを示し、その詳述は下記の通りである。
本発明の実施例が提供する電源アダプター１００は、通信インターフェース１０を備え、電源アダプター１００は、当該通信インターフェース１０を介して、電子機器２００における電池２０１に対して充電を行うとともに、電子機器２００とデータの通信を行う。
【０００９】
電源アダプター１００は、ＥＭＩフィルタ回路１０１と、高電圧整流フィルタ回路１０２と、隔離変圧器１０３と、出力フィルタ回路１０４と、電圧トラッキングと制御回路１０５とを備える。商用電源がＥＭＩフィルタ回路１０１を流れて、電磁波ノイズのフィルタ処理を行った後、高電圧整流フィルタ回路１０２により整流フィルタ処理され、高電圧直流電流を出力し、当該高電圧直流電流は隔離変圧器１０３を介して電気隔離されてから、出力フィルタ回路１０４に出力され、フィルタ処理を行った後、電池２０１に充電するようにする。電圧トラッキングと制御回路１０５は、出力フィルタ回路１０４の出力電圧に基づいて、隔離変圧器１０３の出力電圧を調整する。
【００１０】
電源アダプター１００は、電源回路１０６と、主制御回路１０７と、電位調整回路１０８と、電流検出回路１０９と、電圧検出回路１１０と、出力スイッチ回路１１１と、を更に含む。
【００１１】
図１及び図２を参照して、電源回路１０６の入力ポートは、隔離変圧器１０３の二次ポートに接続され、主制御回路１０７の電源ポートと、電位調整回路１０８の電源ポートと、電流検出回路１０９の電源ポートとは、電源回路１０８の出力ポートに共通に接続される。主制御回路１０７の高電位ポートと電位調整回路１０８の高電位ポートとは、いずれも出力フィルタ回路１０４の正出力ポートに接続され、主制御回路１０７の高電位ポートは、抵抗器Ｒ２０の第２端によって、出力フィルタ回路１０４の正出力ポートに接続される（即ち、電流検出回路１０９の直流入力ポート）。電位調整回路１０８の電位調節ポートは、電圧トラッキングと制御回路１０５に接続される。電流検出回路１０９の直流入力ポートは、出力フィルタ回路１０４の正出力ポートに接続され、電流検出回路１０９の電流検出フィードバックポートは、主制御回路１０７の電流検出ポートに接続される。主制御回路１０７のクロック出力ポートとデータ出力ポートとは、電位調整回路１０８のクロック入力ポートとデータ入力ポートとに接続される。電圧検出回路１１０の第１検出ポートと第２検出ポートとは、それぞれ前記電流検出回路１０９の直流出力ポートと出力フィルタ回路１０４の負出力ポートとに接続され、電圧検出回路１１０の第１出力ポートと第２出力ポートとは、それぞれ主制御回路１０７の第１電圧検出ポートと第２電圧検出ポートとに接続される。出力スイッチ回路１１１の入力ポートは、電流検出回路１０９の直流出力ポートに接続され、出力スイッチ回路１１１の出力ポートは、電圧検出回路１１０の第３検出ポートに接続される。出力スイッチ回路１１１の接地ポートは出力フィル回路１０４の負出力ポートに接続され、出力スイッチ回路１１１の被制御ポートと電源ポートとは、それぞれ主制御回路１０７のスイッチ制御ポートと隔離変圧器１０３の二次ポートとに接続される。出力フィルタ回路１０４の負出力ポートと、出力スイッチ回路１１１の出力ポートと、主制御回路１０７の第１通信ポートと、第２通信ポートとは、いずれも電源アダプター１００の通信インターフェース１０に接続される。
【００１２】
電源回路１０６は、隔離変圧器１０３から電源を取得して、主制御回路１０７と、電位調整回路１０８と、電流検出回路１０９とに電源を供給する。電子機器２００における電池２０１に対して急速充電を行う時、電位調整回路１０８は、主制御回路１０７から送信された制御信号に基づいて、電圧トラッキングと制御回路１０５を駆動して、隔離変圧器１０３の出力電圧を調整する。電流検出回路１０９と電圧検出回路１１０とは、それぞれ電源アダプター１００の出力電流と出力電圧とを検出し、それに応じて、電流検出信号と電圧検出信号とを主制御回路１０７にフィードバックする。出力スイッチ回路１１１は、主制御回路１０７から送信されたスイッチ制御信号に基づいて、電源アダプター１００の直流電流の出力をオンオフする。
【００１３】
電子機器２００における電池２０１に対して通常の充電或いは急速充電を行う時、主制御回路１０７は、上述の電流検出信号に基づいて、電源アダプター１００の出力電流が電流閾値より大きいか否かを判断し、上述の電圧検出信号に基づいて、電源アダプター１００の出力電圧が電圧閾値より大きいか否かを判断する。若し電源アダプター１００の出力電流が電流閾値より大きい、及び/又は電源アダプター１００の出力電圧が電圧閾値より大きいと、主制御回路１０７は、出力スイッチ回路１１１を制御して、電源アダプター１００の直流電流の出力をオフする。
【００１４】
主制御回路１０７と電子機器２００とがデータ通信を行う過程において、若し電子機器２００が、電源アダプター１００の出力電流が電流閾値より大きい、及び/又は電源アダプター１００の出力電圧が電圧閾値より大きいと判断し、充電オフ命令を主制御回路１０７にフィードバックすると、主制御回路１０７は、当該充電オフ命令に基づいて、出力スイッチ回路１１１を制御して、電源アダプター１００の直流電流の出力をオフする。
【００１５】
ここで、少なくとも一つの実施例において、主制御回路１０７と電子機器２００との間でのデータ通信は、充電の過程で行われ、その過程において、通常の充電モードにあるか、急速充電モードにあるかを問わず、主制御回路１０７は、電源アダプター１００の出力電流と出力電圧とを電子機器２００に送信する。電子機器２００は、充電の過程で、電源アダプター１００の出力電流と出力電圧とに基づいて、過電流及び/又は過電圧の可否を判断する。判断の過程は、上述の主制御回路１０７が電源アダプター１００の出力電流と出力電圧とに対する判断の過程と同一であるので、電子機器２００が、電源アダプター１００の出力に過電流及び/又は過電圧が存在すると判断した場合、電子機器２００は、充電オフ命令をフィードバックすることによって、電源アダプター１００の直流電流の出力をオフするように主制御回路１０７に通知する。また、電子機器２００にとっても、電源アダプター１００の出力に過電流及び/又は過電圧が存在すると判断した場合、自発的に自身の通信インターフェースをオフして、電源アダプター１００との接続を切断することによって、自発的に過電流及び/又は過電圧の保護を実現する目的を達する。
【００１６】
図２は、本発明の実施例が提供する電源アダプターの例示的な回路構成を示す。説明を便利にするために、本発明の実施例と関連する部分だけを示し、その詳述は以下の通りである。
【００１７】
電源回路１０６は、
第１コンデンサーＣ１と、定電圧チップＵ１と、第２コンデンサーＣ２と、第１インダクターＬ１と、第２インダクターＬ２と、第１ダイオードＤ１と、第２ダイオードＤ２と、第３コンデンサーＣ３と、第１抵抗器Ｒ１と、第２抵抗器Ｒ２とを含む。
【００１８】
第１コンデンサーＣ１の第１端と、定電圧チップＵ１の入力電源ピンＶinと、イネーブルピンＥＮとの共通接続点は、電源回路１０６の入力ポートであり、第１コンデンサーＣ１の第２端と定電圧チップＵ１の接地ピンＧＮＤとは、共通に接地される。定電圧チップＵ１のスイッチピンＳＷと第２コンデンサーＣ２の第１端とは、第１インダクターＬ１の第１端に共通に接続され、定電圧チップＵ１の内部スイッチピンＢＯＯＳＴと第２コンデンサーＣ２の第２端とは、第１ダイオードＤ１の陰極に共通に接続され、定電圧チップＵ１のフィードバック電圧ピンＦＢは、第１抵抗器Ｒ１の第１端及び第２抵抗器Ｒ２の第１端に接続される。第１インダクターＬ１の第２端と第２ダイオードＤ２の陰極とは、第２インダクターＬ２の第１端に共通に接続され、第２インダクターＬ２の第２端と、第１ダイオードＤ１の陽極と、第１抵抗器Ｒ１の第２端と、第３コンデンサーＣ３の第１端とが、共通に接続されることによって形成される共通接続点は、電源回路１０６の出力ポートである。第２ダイオードＤ２の陽極と、第２抵抗器Ｒ２の第２端と、第３コンデンサーＣ３の第２端とは、共通に接地される。その中で、電源回路１０６は、定電圧チップＵ１を中心にして、隔離変圧器１０３の二次ポート電圧に対して電圧変換処理を行なった後、+３．３Ｖの電圧を出力して、主制御回路１０７と、電位調整回路１０８と、電流検出回路１０９とに給電する。定電圧チップＵ１は、具体的にモデルがＭＣＰ１６３０１である電圧低減タイプの直流/直流変換器を用いても良い。
【００１９】
主制御回路１０７は、
主制御チップＵ２と、第３抵抗器Ｒ３と、基準電圧チップＵ３と、第４抵抗器Ｒ４と、第５抵抗器Ｒ５と、第４コンデンサーＣ４と、第６抵抗器Ｒ６と、第７抵抗器Ｒ７と、第１ＮＭＯＳトランジスターＱ１と、第８抵抗器Ｒ８と、第９抵抗器Ｒ９と、第１０抵抗器Ｒ１０と、第１１抵抗器Ｒ１１と、第１２抵抗器Ｒ１２と、第１３抵抗器Ｒ１３と、第１４抵抗器Ｒ１４とを含む。
【００２０】
主制御チップＵ２の電源ピンＶＤＤは、主制御回路１０７の電源ポートであり、主制御チップＵ２の接地ピンＶＳＳは接地され、主制御チップＵ２の第１入力出力ピンＲＡ０は未接続となる。第３抵抗器Ｒ３の第１端は主制御チップＵ２の電源ピンＶＤＤに接続され、第３抵抗器Ｒ３の第２端と第４抵抗器Ｒ４の第１端とは、基準電圧チップＵ３の正極ＣＡＴＨＯＤＥに共通に接続される。基準電圧チップＵ３の負極ＡＮＯＤＥは、接地され、基準電圧チップＵ３の未接続ピンＮＣは、未接続となる。第４抵抗器Ｒ４の第２端は、主制御チップＵ２の第２入力出力ピンＲＡ１に接続される。主制御チップＵ２の第３入力出力ピンＲＡ２は、主制御回路１０７の電流検出ポートであり、主制御チップＵ２の第４入力出力ピンＲＡ３は、第５抵抗器Ｒ５の第１端に接続される。第５抵抗器Ｒ５の第２端と第４コンデンサーＣ４の第１端とは、主制御チップＵ２の電源ピンＶＤＤに共通に接続され、第４コンデンサーＣ４の第２端は、接地される。主制御チップＵ２の第５入力出力ピンＲＡ４は、主制御回路１０７のスイッチ制御ポートであり、主制御チップＵ２の第６入力出力ピンＲＡ５は、第６抵抗器Ｒ６の第１端に接続される。第６抵抗器Ｒ６の第２端と第１ＮＭＯＳトランジスターＱ１のゲート電極とは、第７抵抗器Ｒ７の第１端に共通に接続される。第７抵抗器Ｒ７の第２端と第１ＮＭＯＳトランジスターＱ１のソース電極とは、共通に接地され、第１ＮＭＯＳトランジスターＱ１のドレイン電極は、第８抵抗器Ｒ８の第１端に接続される。第８抵抗器Ｒ８の第２端は、主制御回路１０７の高電位ポートであり、主制御チップＵ２の第７入力出力ピンＲＣ０と第８入力出力ピンＲＣ１とは、それぞれ主制御回路１０７のクロック出力ポートとデータ出力ポートとである。主制御チップＵ２の第１０入力出力ピンＲＣ３と第９入力出力ピンＲＣ２とは、それぞれ主制御回路１０７の第１電圧検出ポートと第２電圧検出ポートとである。主制御チップＵ２の第１１入力出力ピンＲＣ４と第１２入力出力ピンＲＣ５とは、それぞれ第９抵抗器Ｒ９の第１端と第１０抵抗器Ｒ１０の第１端とに接続され、第１１抵抗器Ｒ１１の第１端と第１２抵抗器Ｒ１２の第１端とは、それぞれ第９抵抗器Ｒ９の第２端と第１０抵抗器Ｒ１０の第２端とに接続される。第１１抵抗器Ｒ１１の第２端と第１２抵抗器Ｒ１２の第２端とは共通に接地され、第１３抵抗器Ｒ１３の第１端と第１４抵抗器Ｒ１４の第１端とは、それぞれ第９抵抗器Ｒ９の第２端と第１０抵抗器Ｒ１０の第２端とに接続される。第１３抵抗器Ｒ１３の第２端と第１４抵抗器Ｒ１４の第２端とは、主制御チップＵ２の電源ピンＶＤＤに共通に接続され、第９抵抗器Ｒ９の第２端と第１０抵抗器Ｒ１０の第２端とは、それぞれ主制御回路１０７の第１通信ポートと第２通信ポートとである。その中で、主制御チップＵ２は、具体的にモデルがＰＩＣ１２ＬＦ１８２２や、ＰＩＣ１２F１８２２や、ＰＩＣ１６ＬＦ１８２３や、或いはＰＩＣ１６Ｆ１８２３であるシングルチップマイコンを用いても良いし、基準電圧チップＵ３は、モデルがＬＭ４０４０である電圧基準器を用いても良い。
【００２１】
電位調整回路１０８は、
第１５抵抗器Ｒ１５と、第１６抵抗器Ｒ１６と、デジタルポテンショメータＵ４と、第１７抵抗器Ｒ１７と、第１８抵抗器Ｒ１８と、第５コンデンサーＣ５と、第６コンデンサーＣ６と、第１９抵抗器Ｒ１９とを含む。
【００２２】
第１５抵抗器Ｒ１５の第１端と、第１６抵抗器Ｒ１６の第１端と、デジタルポテンショメータＵ４の電源ピンＶＤＤと、第５コンデンサーＣ５の第１端との共通接続点は、電位調整回路１０８の電源ポートである。第５コンデンサーＣ５の第２端と、第６コンデンサーＣ６の第１端と、デジタルポテンショメータＵ４の接地ピンＶＳＳと、第１７抵抗器Ｒ１７の第１端とは、共通に接地される。第６コンデンサーＣ６の第２端は、デジタルポテンショメータＵ４の電源ピンＶＤＤに接続され、第１５抵抗器Ｒ１５の第２端と、デジタルポテンショメータＵ４の直列データピンＳＤＡとの共通接続点は、電位調整回路１０８のデータ入力ポートである。第１６抵抗器Ｒ１６の第２端とデジタルポテンショメータＵ４のクロック入力ピンＳＣＬとの共通接続点は、電位調整回路１０８のクロック入力ポートである。デジタルポテンショメータＵ４のゼロアドレスピンＡ０は接地され、デジタルポテンショメータＵ４の第１電位結線ピンＰ０Ａと第１８抵抗器Ｒ１８の第１端とは、第１７抵抗器Ｒ１７の第２端に共通に接続され、第１８抵抗器Ｒ１８の第２端とデジタルポテンショメータＵ４の第２電位結線ピンＰ０Ｂとは、第１９抵抗器Ｒ１９の第１端に共通に接続される。第１９抵抗器Ｒ１９の第２端は電位調整回路１０８の高電位ポートであり、デジタルポテンショメータＵ４の電位タッピングピンＰ０Ｗは、電位調整ジュール１０８の電位調節ポートである。その中で、デジタルポテンショメータＵ４は、主制御チップＵ２から出力されるクロック信号とデータ信号とに基づいて、内部の滑り抵抗器を調整することによって、内部の滑り抵抗器のタッピングポート（即ち、デジタルポテンショメータＵ４の電位タッピングピンＰ０Ｗ）の電位が変化され、さらには、電圧トラッキングと制御回路１０５が、当該電位の変化に追従して、隔離変圧器１０３の出力電圧を調整する。デジタルポテンショメータＵ４は、具体的にＭＣＰ４５Ｘ１のデジタルポテンショメータを用いても良い。
【００２３】
電流検出ジュール１０９は、
第２０抵抗器Ｒ２０と、第２１抵抗器Ｒ２１と、第２２抵抗器Ｒ２２と、第７コンデンサーＣ７と、第８コンデンサーＣ８と、電流検出チップＵ５と、第２３抵抗器Ｒ２３と、第９コンデンサーＣ９と、第１０コンデンサーＣ１０と、第２４抵抗器Ｒ２４とを含む。
【００２４】
第２０抵抗器Ｒ２０の第１端と第２端とは、それぞれ電流検出回路１０９の直流入力ポートと直流出力ポートとである。第２１抵抗器Ｒ２１の第１端と第２２抵抗器Ｒ２２の第１端とは、それぞれ第２０抵抗器Ｒ２０の第１端と第２端とに接続され、第２１抵抗器Ｒ２１の第２端と第７コンデンサーＣ７の第１端とは、電流検出チップＵ５の正入力ピンＩＮ＋に共通に接続される。第２２抵抗器Ｒ２２の第２端と第８コンデンサーＣ８の第１端とは、電流検出チップＵ５の負入力ピンＩＮ−に共通に接続される。電流検出チップＵ５の電源ピンＶ＋と第９コンデンサーＣ９の第１端との共通接続点は、電流検出回路１０９の電源ポートであり、電流検出チップＵ５の未接続ピンＮＣは未接続であり、電流検出チップＵ５の出力ピンＯＵＴは、第２３抵抗器Ｒ２３の第１端に接続される。第２３抵抗器Ｒ２３の第２端は、電流検出回路１０９の電流検出フィードバックポートであり、第１０コンデンサーＣ１０の第１端と第２４抵抗器Ｒ２４の第１端とは、第２３抵抗器Ｒ２３の第２端に共通に接続される。第７コンデンサーＣ７の第２端と、第８コンデンサーＣ８の第２端と、第９コンデンサーＣ９の第２端と、第１０コンデンサーＣ１０の第２端と、第２４抵抗器Ｒ２４の第２端と、電流検出チップＵ５の接地ピンＧＮＤと、第１基準電圧ピンＲＥＦ１と、第２基準電圧ピンＲＥＦ２とは、共通に接地される。その中で、第２０抵抗器Ｒ２０は、電流検出抵抗器として、出力フィルタ回路１０４の出力電流（即ち、電源アダプター１００の出力電流）に対するサンプリングを行ってから、電流検出チップＵ５を介して、第２０抵抗器Ｒ２０両端の電圧に基づいて、電流検出信号を主制御チップＵ２に出力する。電流検出チップＵ５は、具体的にモデルがＩＮＡ２８６である電流分流モニターを用いても良い。
【００２５】
電圧検出回路１１０は、
第２５抵抗器Ｒ２５と、第２６抵抗器Ｒ２６と、第１１コンデンサーＣ１１と、第１２コンデンサーＣ１２と、第２７抵抗器Ｒ２７と、第２８抵抗器Ｒ２８とを含む。
【００２６】
第２５抵抗器Ｒ２５の第１端は、電圧検出回路１１０の第１検出ポートであり、第２５抵抗器Ｒ２５の第２端と、第２６抵抗器Ｒ２６の第１端と、第１１コンデンサーＣ１１の第１端との共通接続点は、電圧検出回路１１０の第２出力ポートである。第２６抵抗器Ｒ２６の第２端は、電圧検出回路１１０の第２検出ポートであり、第１１コンデンサーＣ１１の第２端と、第１２コンデンサーＣ１２の第１端と、第２７抵抗器Ｒ２７の第１端とは、第２６抵抗器Ｒ２６の第２端に共通に接続される。第１２コンデンサーＣ１２の第２端と、第２７抵抗器Ｒ２７の第２端と、第２８抵抗器Ｒ２８の第１端との共通接続点は、電圧検出回路１１０の第１出力ポートであり、第２８抵抗器Ｒ２８の第２端は、電圧検出回路１１０の第３検出ポートである。
【００２７】
出力スイッチ回路１１１は、
第２９抵抗器Ｒ２９と、第３０抵抗器Ｒ３０と、第１３コンデンサーＣ１３と、第３１抵抗器Ｒ３１と、第１ＮＰＮ型トライオードＮ１と、第３２抵抗器Ｒ３２と、第２ＮＰＮ型トライオードＮ２と、第３ダイオードＤ３と、定電圧ダイオードＺＤと、第３３抵抗器Ｒ３３と、第３４抵抗器Ｒ３４と、第３５抵抗器Ｒ３５と、第２ＮＭＯＳトランジスターＱ２と、第３ＮＭＯＳトランジスターＱ３とを含む。
【００２８】
第２９抵抗器Ｒ２９の第１端は、出力スイッチ回路１１１の被制御ポートであり、第２９抵抗器Ｒ２９の第２端と第３０抵抗器Ｒ３０の第１端とは、第１ＮＰＮ型トライオードＮ１のベース電極に共通に接続される。第１３コンデンサーＣ１３の第１端と、第３１抵抗器Ｒ３１の第１端と、第３２抵抗器Ｒ３２の第１端とは、第３ダイオードＤ３の陰極に共通に接続され、第３ダイオードＤ３の陽極は、出力スイッチ回路１１１の電源ポートである。第３１抵抗器Ｒ３１の第２端と、第２ＮＰＮ型トライオードＮ２のベース電極とは、第１ＮＰＮ型トライオードＮ１のコレクター電極に共通に接続され、第３２抵抗器Ｒ３２の第２端と、定電圧ダイオードＺＤの陰極と、第３３抵抗器Ｒ３３の第１端とは、第２ＮＰＮ型トライオードＮ２のコレクター電極に共通に接続される。第３０抵抗器Ｒ３０の第２端と、第１３コンデンサーＣ１３の第２端と、第１ＮＰＮ型トライオードＮ１のエミッタ電極と、第２ＮＰＮ型トライオードＮ２のエミッタ電極と、定電圧ダイオードＺＤの陽極とは、共通に接地される。第３３抵抗器Ｒ３３の第２端と、第３４抵抗器Ｒ３４の第１端と、第３５抵抗器Ｒ３５の第１端と、第２ＮＭＯＳトランジスターＱ２のゲート電極と、第３ＮＭＯＳトランジスターＱ３のゲート電極とは、共通に接地される。第３４抵抗器Ｒ３４の第２端は、出力スイッチ回路１１１の接地ポートであり、第２ＮＭＯＳトランジスターＱ２のドレイン電極は、出力スイッチ回路１１１の入力ポートである。第２ＮＭＯＳトランジスターＱ２のソース電極と、第３５抵抗器Ｒ３５の第２端とは、第３ＮＭＯＳトランジスターＱ３のソース電極に共通に接続され、第３ＮＭＯＳトランジスターＱ３のドレイン電極は、出力スイッチ回路１１１の出力ポートである。その中で、第２ＮＭＯＳトランジスターＱ２と、第３ＮＭＯＳトランジスターＱ３とは、同時に導通或いは切断されることによって、電源アダプター１００の直流電流の出力をオンオフする。
【００２９】
上述の電源アダプター１００に基づいて、本発明の実施例は、電池２０１を備え、且つ上述の電源アダプター１００が配置されている電子機器を更に提供する。
本発明の実施例は、電子機器２００に電源アダプター１００を提供し、この電源アダプター１００は、電源回路１０６と、主制御ジュール１０７と、電位調整回路１０８と、電流検出回路１０９と、電圧検出回路１１０と、出力スイッチ回路１１１とを含み、主制御回路１０７により、電源アダプター１００の出力電流が電流閾値より大きいか否かを判断し、電源アダプター１００の出力電圧が電圧閾値より大きいか否かを判断して、若し電源アダプター１００の出力電流が電流閾値より大きい、及び/又は電源アダプター１００の出力電圧が電圧閾値より大きいと、主制御回路１０７は、出力スイッチ回路１１１を制御することによって、電源アダプター１００の直流電流の出力をオフする。なお、若し電子機器２００により、電源アダプター１００の出力に過電流、及び/又は過電圧の現象が存在すると判定され、充電オフ命令が主制御回路１０７にフィードバックされると、主制御回路１０７は、当該充電オフ命令に基づいて、出力スイッチ回路１１１を制御して、電源アダプター１００の直流電流の出力をオフすることによって、電池２０１に対する過電流及び/又は過電圧の保護を実現する目的を達する。
【００３０】
上述された内容は、ただ本発明の望ましい例示的な実施例であり、本発明を限定するものではない。本発明の原理及び主旨から逸脱しない範囲内で行われる修正、同等の切り替え、及び改善などは、いずれも本発明の保護範囲に含まれる。
【図１】
0006563049.tif 000002
【図２】
0006563049.tif 000003